(57)【特許請求の範囲】
【請求項１】
空気調和機本体と、
この本体の内部に設けられ、空気調和機の運転状態等を光により表示するＬＥＤと、
前記本体の前面に設けられた意匠パネルと、
前記ＬＥＤの光を拡散し見栄えよく形成され、凹部を設けた可撓性を有し、両端部が高さ方向全長にわたって前記本体側に傾斜している表示部品と、
前記意匠パネルに開閉可能に取り付けられ、前記表示部品両端部を挿入係止する開口部と、前記表示部品の凹部と係合する凸部とを有する吸い込みグリルと、を備え、前記表示部品を撓ませることにより両端部を前記吸い込みグリルの開口部に挿入係止する構成としたことを特徴とする空気調和機。
【請求項２】
前記表示部品の凹部と前記吸い込みグリルの凸部の少なくともいずれ一方に案内傾斜部を設けたことを特徴とする請求項１記載の空気調和機。
【請求項３】
前記吸い込みグリルは係合凸部と係合開口部とを有し、
前記吸い込みグリルの係合凸部に係合する係合開口部と、前記吸い込みグリルの係合開口部と係合する係合片と、前記表示部品に係合する表示開口部とを有する意匠カバーを備え、
前記表示部品が前記吸い込みグリルと前記意匠カバーとに介在する形で前記吸い込みグリルに前記意匠カバーを取り付ける構成としたことを特徴とする請求項１記載の空気調和機。
【発明の詳細な説明】
【０００１】
【発明の属する技術分野】
この発明は、空気調和機における開閉可能な吸い込みグリルに取付けられる表示部品の取付構造に関するものである。
【０００２】
【従来の技術】
図７は、例えば特開平９−４８６９号公報に示された従来の空気調和機の表示部品取付構造を示す図である。図において、１は空気調和機本体、２は表示部品、４は開閉可能な吸い込みグリル、１６は意匠パネル、１７は表示基板、１８は表示基板１７の保持部品である。
【０００３】
上述の従来の空気調和機の表示部品取付構造では、空気調和機本体１に表示基板１７が保持部品１８によって固定される。表示部品４は意匠パネル１６の内面に熱溶着、接着等による固定もしくは意匠パネル１６の内面と保持部品１８とによって押しつけられる形で固定される。
【０００４】
【発明が解決しようとする課題】
従来の空気調和機の表示部品取付構造は以上のように構成されているので、表示部品がそれぞれ個々に固定され、また取付部分の制限があり、表示部品の固定において作業性が悪く安価にできない等の問題点があった。
【０００５】
この発明は、上記のような問題点を解消するためになされたもので、第１の目的は、表示部品の吸い込みグリルへの取付が容易且つ安価な表示部品取付構造を得ることである。
【０００６】
また、第２の目的は、表示部品の吸い込みグリルへの取付において位置ずれすることなく、確実な表示部品取付構造を得ることである。
【０００７】
【課題を解決するための手段】
この発明に係る空気調和機は、空気調和機本体と、この本体の内部に設けられ、空気調和機の運転状態等を光により表示するＬＥＤと、本体の前面に設けられた意匠パネルと、ＬＥＤの光を拡散し見栄えよく形成され、凹部を設けた可撓性を有し、両端部が高さ方向全長にわたって本体側に傾斜している表示部品と、意匠パネルに開閉可能に取り付けられ、表示部品両端部を挿入係止する開口部と、表示部品の凹部と係合する凸部とを有する吸い込みグリルとを備え、表示部品を撓ませることにより両端部を吸い込みグリルの開口部に挿入係止する構成としたものである。
【０００８】
また、表示部品の凹部と吸い込みグリルの凸部の少なくともいずれ一方に案内傾斜部を設けたものである。
【０００９】
また、吸い込みグリルは係合凸部と係合開口部とを有し、吸い込みグリルの係合凸部に係合する係合開口部と、吸い込みグリルの係合開口部と係合する係合片と、表示部品に係合する表示開口部とを有する意匠カバーを備え、表示部品が吸い込みグリルと意匠カバーとに介在する形で吸い込みグリルに意匠カバーを取り付ける構成としたものである。
【００１０】
【発明の実施の形態】
実施の形態１．
以下、この発明の実施の形態１を図面を参照して説明する。図１、図２はこの発明の実施の形態１を示す図で、図１は空気調和機の要部斜視図、図２は空気調和機の斜視図である。図において、１は運転状態等を光により表示する複数のＬＥＤを内部に設けた空気調和機本体、２はＬＥＤの光を拡散し、見栄えよく形成した表示部品でその中央付近の上部に凹部３が設けてある。４は表示部品２の両端部５を挿入係止する開口部６と表示部品２の凹部３と係合する凸部７とを設けた吸い込みグリルである。
【００１１】
次に動作を説明する。表示部品２を撓ませ、両端部５を吸い込みグリル４の穴部６に挿入すると共に撓みを解除する。この時吸い込みグリル４の凸部７に表示部品２の凹部３が係合し、且つ表示部品２と吸い込みグリル４の開口部６とが係合することにより表示部品２の吸い込みグリル４への取付が完了する。
【００１２】
上述の実施の形態によれば、表示部品２を撓ませることにより、両端部が吸い込みグリル４の開口部６に容易に挿入され、吸い込みグリル４の凸部７に表示部品２の凹部３が係合することにより位置ずれすることなく、表示部品２が吸い込みグリル４に取付けられる。
【００１３】
実施の形態２．
図３、図４は、この発明の実施の形態２を示す図で、空気調和機の要部斜視図である。図において、３ａは表示部品２の凹部３に設けられた案内傾斜部、７ａは吸い込みグリル４の凸部７に設けられた案内傾斜部である。
【００１４】
次に動作を説明する。表示部品２を撓ませ、両端部５を吸い込みグリル４の穴部６に挿入すると共に表示部品２の撓みを解除する際、表示部品２の凹部３に設けられた案内傾斜部３ａに吸い込みグリル４の凸部７が接触することにより、或いは吸い込みグリル４の凸部７に設けられた案内傾斜部７ａに表示部品２の凹部３が接触することにより容易に吸い込みグリル４の凸部７に表示部品２の凹部３が係合し表示部品２の吸い込みグリル４への取付が完了する。
【００１５】
上述の実施の形態によれば、表示部品２の凹部３に設けられた案内傾斜部３ａに吸い込みグリル４の凸部７が接触することにより、或いは吸い込みグリル４の凸部７に設けられた案内傾斜部７ａに表示部品２の凹部３が接触することにより係合時の案内となるので容易に取付けができる。
【００１６】
実施の形態３．
図５、図６は、この発明の実施の形態３を示す図で、図５は空気調和機の斜視図、図６は要部断面図である。図において、１１、１２は吸い込みグリ４に設けられた係合凸部、係合穴部であり、１０は表示開口部１３と、吸い込みグリル４に設けられた係合凸部１１・係合開口部１２に係合する係合開口部１４・係合片１５とを設けた意匠カバーである。
【００１７】
次に動作を説明する。表示部品２を吸い込みグリル４に取付た後、吸い込みグリル４に設けられた係合凸部１１・係合開口部１２に意匠カバー１０に設けられた係合開口部１４・係合片１５を各々係合させ、且つ表示部品２に表示穴１３が係合することにより表示部品２が吸い込みグリル４と意匠カバー１０とに介在する形で吸い込みグリル４に意匠カバー１０が取付けられる。
【００１８】
上述の実施の形態によれば、表示部品２が吸い込みグリル４と意匠カバー１０とに介在する形で吸い込みグリル４に意匠カバー１０が取付けられるので、確実な表示部品２の取付けができる。
【００１９】
【発明の効果】
この発明に係る空気調和機は、可撓性の表示部品に凹部を設け、吸い込みグリルに表示部品の両端部を挿入係止する開口部と表示部品の凹部と係合する凸部を設けた構成にしたので、表示部品の撓みを利用して表示部品を吸い込みグリルへ取付することができるので位置ずれすることなく安価で容易な取付ができる。
【００２０】
また、表示部品の凹部と吸い込みグリルの凸部の少なくともいずれか一方に案内傾斜部を設けた構成にしたので、凹部に設けられた案内傾斜部に吸い込みグリルの凸部が接触することにより、或いは吸い込みグリルの凸部に設けられた案内傾斜部に表示部品の凹部が接触することにより係合時の案内となるので容易な取付ができる。
【００２１】
また、吸い込みグリルに係合凸部・係合開口部を設け、係合開口部・係合片、表示開口部を設けた意匠カバーを備えた構成にしたので、表示部品が吸い込みグリルと意匠カバーとに介在する形で吸い込みグリルに意匠カバーが取付けられるので、確実な表示部品の取付ができる。
また、撓みを利用して吸い込みグリルに表示部品を取付ける構成とし、係合片により吸い込みグリルに意匠カバーを取付ける構成としたので、リサイクル時における異材料部品の分解解体作業が容易にできる。
【図面の簡単な説明】
【図１】  この発明の実施の形態１を示す図で、空気調和機の要部斜視図である。
【図２】  この発明の実施の形態１を示す図で、空気調和機の斜視図である。
【図３】  この発明の実施の形態２を示す図で、空気調和機の要部斜視図である。
【図４】  この発明の実施の形態２を示す図で、空気調和機の要部斜視図である。
【図５】  この発明の実施の形態３を示す図で、空気調和機の斜視図である。
【図６】  この発明の実施の形態３を示す図で、空気調和機の要部断面図である。
【図７】  従来の空気調和機の断面図である。
【符号の説明】
１  空気調和機本体、２  表示部品、３  凹部、３ａ  案内傾斜部、４  吸い込みグリル、５  端部、６  開口部、７  凸部、７ａ  案内傾斜部、１０  意匠カバー、１１  係合凸部、１２  係合開口部、１３  表示開口部、１４  係合開口部、１５  係合片、１６  意匠パネル、１７  表示基板、１８  保持部品。
【図１】
0003810227.tif 000002
【図２】
0003810227.tif 000003
【図３】
0003810227.tif 000004
【図４】
0003810227.tif 000005
【図５】
0003810227.tif 000006
【図６】
0003810227.tif 000007
【図７】
0003810227.tif 000008